(57)【要約】【課題】市販の携帯電話機を用いて、写真を撮影し、ＧＰＳ情報を付加した上で指定したサーバに送信し、インターネット上で表示・閲覧することができる。しかし、携帯電話機での写真の撮影やそれにＧＰＳ情報を付加する処理は煩雑であり、携帯電話機の扱いに慣れた利用者しか利用できなかった。【解決手段】ＧＰＳを用いた位置測位機能およびカメラ撮影機能が付いた携帯電話機に、専用アプリケーションをインストールすることで、写真の撮影、ＧＰＳ情報の取得、送信メッセージの選択、情報公開サーバへ送信するという作業を一連の流れで行い、情報公開サーバに送信された情報は、ＷＥＢブラウザで閲覧可能にした。【選択図】図１
2008205755.tif 000002
【特許請求の範囲】
【請求項１】
ＧＰＳ情報取得機能とカメラ撮影機能及びインターネット接続機能を兼ね備えた携帯電話機と、該携帯電話機から送られた情報を収集・保存、収集した情報を自身のデータベースに登録し、登録した情報をインターネットで公開する情報公開サーバと、該インターネットに接続される電気通信事業社のアプリケーションダウンロードサーバと、該インターネットに接続される初期情報送信サーバと、該インターネットを介して該情報公開サーバに接続される一般ユーザ機器とで構成されることを特徴とする情報収集システム。
【請求項２】
請求項１において、上記携帯電話機は上記電気通信事業社のアプリケーションダウンロードサーバを介して情報収集プログラムをインストールした後、該携帯電話機に付属するＧＰＳ情報取得機能やカメラ撮影機能を利用して、ＧＰＳ情報やデジタル静止画像を記録する手段と、該ＧＰＳ情報や該デジタル静止画像の情報と共に、送信者を識別するための携帯電話端末識別子と、送信メッセージリストから選択したメッセージとを、上記インターネットを介して上記情報公開サーバへ送信する手段を特徴とする情報収集システム。
【請求項３】
請求項２において、上記情報収集プログラムは、送信するデジタル静止画像の情報量に応じて情報を上記情報公開サーバに分割送信し、該情報公開サーバは、分割されたデジタル静止画像情報の受信後に、分割された画像情報を結合して、送信前のデジタル静止画像を復元する手段を特徴とする情報収集システム。
【請求項４】
請求項２において、上記情報収集プログラムは、上記携帯電話機のカメラ撮影機能を用いて、１枚以上の写真を撮影した後にＧＰＳ情報を取得し、撮影した全ての写真と該ＧＰＳ情報を関連付けて上記情報公開サーバに送信する手段を特徴とする情報収集システム。
【請求項５】
請求項２において、上記情報収集プログラムをインストールした上記携帯電話機は、起動時に上記情報公開サーバから上記インターネットを介して、送信メッセージの文例を取得する手段を特徴とする情報収集システム。
【請求項６】
請求項２および請求項５において、上記情報収集プログラムは、上記送信メッセージの文例を元に、メッセージリストを表示し、上記携帯電話機の利用者が選択したメッセージを、上記情報公開サーバに送信する手段を特徴とする情報収集システム。
【請求項７】
請求項１において、上記情報公開サーバは、上記情報収集プログラムをインストールした上記携帯電話機から送信された情報を受信後、該受信情報の内、文字情報を該情報公開サーバのデータベースに記録し、該受信情報の内、写真情報を該情報公開サーバの指定領域へ保存する手段を特徴とする情報収集システム。
【請求項８】
請求項１において、上記情報公開サーバは情報の閲覧者の利用形態により、上記携帯電話機から送信された写真を、送信された日付毎に並べて表示、地図上に表示することにより、上記携帯電話機から送信された写真およびＧＰＳ情報を提供する手段を特徴とする情報収集システム。
【発明の詳細な説明】
【技術分野】
【０００１】
本発明は、ＧＰＳを用いた位置測位機能及びカメラ撮影機能及びインターネット接続機能を有した携帯電話機を用いて、写真の撮影及びＧＰＳ情報の取得を行い、その情報を情報公開サーバに送信、インターネット上で閲覧する情報収集システムに関する。
【背景技術】
【０００２】
これまで、写真は銀塩カメラやデジタルカメラを用いて撮影されていたが、近年のカメラ付き携帯電話機の普及および高性能化により、写真はより手軽に撮影できるようになった。
【０００３】
従来は、高価な機器を用いてＧＰＳ情報を取得していたが、近年は、市販の携帯電話機でＧＰＳ情報を取得できる様になった。更に、携帯電話機に付属するカメラで撮影した写真とＧＰＳ情報を関連付ける事で、写真を撮影した場所を特定する事が可能になった。また、通信インフラと携帯電話機の発達により、撮影した写真をメールに添付し、指定アドレス先へ送信する事ができるようになった。
【０００４】
ＧＰＳ情報を関連付けた写真を指定アドレスに送る際には、以下の携帯電話機の操作が必要である。まず、写真を撮影する。その後にカメラのメニュー画面を開き、ＧＰＳ情報を取得する項目を選択して、ＧＰＳ情報を取得する。ＧＰＳ情報取得後、写真にＧＰＳ情報を付加し、写真を保存する。ここまで準備した上でメールソフトを起動し、「宛先」「件名」「本文」を手入力した後、準備したＧＰＳ情報が付加された写真を添付し、送信ボタンを押下することで、一連の情報を指定のアドレス先に送ることができる。しかし、多くの携帯電話機利用者は前述したような機能がある事を熟知していない。また、このような操作は、携帯電話機の取り扱いに慣れた人でないと非常に難しい。
【０００５】
複数の写真を同じ位置として取り扱いたい場合、これまでの技術では、写真撮影をするたびにＧＰＳ情報を取得しなければならないため、不要な計測時間がかかってしまう上に、都度の計測値が必ずしも一致しないという不具合がある。
【特許文献１】特開２００４−１０４７４３
【発明の開示】
【発明が解決しようとする課題】
【０００６】
様々な場所の写真を携帯電話機で撮影し、ＧＰＳ情報を付加して指定サーバへ送信、送信された写真をインターネット上で公開するという試みは既に行われているが、携帯電話機の操作が複雑であるため、携帯電話機の扱いに慣れた者でないと操作が難しい。
【０００７】
そのため、ＧＰＳ情報を付加した写真と周辺の情報を、簡単に、指定サーバに送る携帯電話機アプリケーションと、閲覧者の欲しい情報を効果的に表示する、情報公開サーバが必要となる。
【課題を解決するための手段】
【０００８】上記目的を達成するため、本発明は、ＧＰＳ情報取得機能とカメラ撮影機能を兼ね備えた携帯電話機と、該携帯電話機から送られた情報を収集・保存、収集した情報を自身のデータベースに登録し、登録した情報をインターネットで公開する情報公開サーバと、該インターネットに接続される（公序良俗違反につき、不掲載）社のアプリケーションダウンロードサーバと、該インターネットに接続される初期情報送信サーバと、該インターネットを介して該情報公開サーバに接続される一般ユーザ機器とで構成される。【０００９】情報収集プログラムは、上記（公序良俗違反につき、不掲載）社のアプリケーションダウンロードサーバを介して上記携帯電話機にインストールされ、該携帯電話機に付属するＧＰＳ情報取得機能やカメラ撮影機能を利用して、ＧＰＳ情報やデジタル静止画像を記録するステップと、該ＧＰＳ情報や該デジタル静止画像の情報と共に、送信者を識別するための携帯電話端末識別子と、送信メッセージリストから選択したメッセージとを、上記インターネットを介して上記情報公開サーバへ送信する。【００１０】上記情報収集プログラムの開発環境について説明する。上記（公序良俗違反につき、不掲載）社の（公序良俗違反につき、不掲載）の携帯電話機には、ＢＲＥＷというアプリケーション開発環境が用意されている。このＢＲＥＷを用いて該情報収集プログラムの開発を行う事で、該携帯電話機に付属する各装置を制御するプログラムを作成することが可能となる。【００１１】
従来の技術では、ＧＰＳ情報を付加した写真を前記情報公開サーバに送信する操作は、携帯電話機の扱いに慣れた者でないと難しかった。上記情報収集プログラムは、該操作を一連の流れで行うだけでなく、上記携帯電話機の十字キー及びセレクトキーのみで操作できるようにすることで、携帯電話機の操作を簡単にした。
【００１２】
従来の技術では、複数枚の写真にＧＰＳ情報を付加し、一度に指定アドレス先に送信する場合、送信する全ての写真に対してＧＰＳ情報を付加する操作が必要である。上記情報収集プログラムは、上記携帯電話機を用いて、複数枚の写真を撮影した後にＧＰＳ情報を一度だけ取得し、撮影した複数枚の写真と該ＧＰＳ情報を関連付けて上記情報公開サーバに送信する手段を採ることで、操作を短縮した。
【００１３】
上記情報収集プログラムは、起動時に上記情報公開サーバから前記インターネットを介して、送信メッセージの文例を取得する。
【００１４】
上記情報収集プログラムは、上記送信メッセージの文例を元に、メッセージリストを表示し、前記携帯電話機の利用者が選択したメッセージを、上記情報公開サーバに送信する。
【００１５】
上記送信メッセージの文例は、上記情報公開サーバに蓄積し、随時修正が可能である。上記情報収集プログラムは、プログラム起動時に、該文例を該情報公開サーバから取得することで、常に最新を保つ。
【００１６】
前記携帯電話機の素機能では、一度に送信することができる情報量には制限があり、VGAサイズ（６４０ピクセル×４８０ピクセル）以上の写真を送信することはできない。上記情報収集プログラムは、送信する情報量に応じて情報を分割送信することで、当該制限量以上の物でも上記情報公開サーバに送信する。
【００１７】
上記情報公開サーバは、上記情報収集プログラムをインストールした上記携帯電話機から送信された情報を受信後、該受信情報の内、文字情報を該情報公開サーバのデータベースに記録し、該受信情報の内、写真情報を該情報公開サーバの指定領域へ保存する。
【００１８】
上記情報公開サーバは、上記携帯電話機から分割して送信された情報を受信すると、該受信情報を結合した後、写真情報を該情報公開サーバの指定領域へ保存し、文字情報を該情報公開サーバの上記データベースに登録する。
【００１９】
上記情報公開サーバは、閲覧者の利用形態により、送信された日付毎に並べて表示、地図上に表示することにより、上記携帯電話機から送信された写真やＧＰＳ情報を提供する。
【００２０】
上記情報公開サーバは、ＨＴＭＬ（Ｈｙｐｅｒ  Ｔｅｘｔ  Ｍａｒｋｕｐ  Ｌａｎｇｕａｇｅ）形式で前記情報収集プログラムから収集した情報を提供する。該情報は、利用者の利用形態に合わせて、項目・デザインを変更して提供する。
【発明の効果】
【００２１】
複雑な操作が必要なため、敬遠されがちだったＧＰＳ情報付きの写真を、一連の流れで簡単に情報公開サーバに送ることができる。具体的には、ＧＰＳ情報付きの写真を送るためには、１５回程度のボタン押下が必要だが、本発明の結果、７回程度のボタン押下でＧＰＳ情報付きの写真を送ることができるようになる。また、文字情報をリストから選択するという方法を採用したことにより、情報公開サーバに送信する情報は、利用者が選択したリストナンバーを送信するため、通信コストを抑えることができる。
【００２２】
携帯電話機の素機能では送信できない高精細な画像を、本発明によりインターネットを介して送信できる。
【実施例】
【００２３】次に、本発明について図面を参照して説明する。図１は、携帯電話機アプリケーションのダウンロードから情報公開サーバまでのシステム全体構成を表している。携帯電話機１は、無線基地局２と図示しない移動通信網やゲートウェイサーバを介して、ネットワーク３と（公序良俗違反につき、不掲載）アプリケーションダウンロードサーバ４、初期情報送信サーバ５、情報公開サーバ６に接続する。【００２４】携帯電話機１は、（公序良俗違反につき、不掲載）アプリケーションダウンロードサーバ４に接続し、携帯電話機アプリケーションをダウンロードし、携帯電話機１にインストールする。【００２５】
図２は、携帯電話機１にインストールした携帯電話機アプリケーションのフローチャートを示す。携帯電話機１は、インストールした携帯電話機アプリケーションを実行すると、初回起動時は初期情報送信サーバ５に接続し、携帯電話機１の識別子を送信する。初期情報送信サーバ５は、携帯電話機１がサービスに登録されている携帯電話機である場合は、情報公開サーバ６のＵＲＬを返す。登録されていない携帯電話機である場合はエラーを返す。２回目以降の起動時は、情報公開サーバ６に接続する。
【００２６】
携帯電話機１は、情報公開サーバ６のＵＲＬ取得後、情報公開サーバ６に接続し、携帯電話機１の識別子を送信する。情報公開サーバ６は件名リスト及び本文リストを返す。
【００２７】
携帯電話機１は、件名リスト及び本文リストを受信すると、受信した内容をテキストファイルに保存する。
【００２８】
図３は、携帯電話機１の各部名称を表す。携帯電話機１は、件名リスト及び本文リストを受信後、カメラを起動する。セレクトキーを押すと、写真が撮影され、表示部に撮影した画像が表示される。撮影した画像が良好であればセレクトキーを押して次の処理へ進み、そうでなければソフトキー１を押して再撮影を行う。連写を行う場合はソフトキー２を押す。
【００２９】
携帯電話機１は、写真撮影後、自動的にＧＰＳ計測を行う。
【００３０】
携帯電話機１は、ＧＰＳ情報を取得後、あらかじめ保存しておいた件名リストをリスト表示する。件名リストからカメラの撮影状況に当てはまる項目を選択すると、選択した件名に関連する本文リストが表示される。本文を選択すると、選択した件名および本文の確認画面が表示される。選択した内容に間違いが無い事を確認した後、送信ボタンを押すと情報公開サーバに写真とＧＰＳ情報、選択した件名と本文の情報が送信される。
【００３１】
携帯電話機１は、送信する情報が一度に送信可能な情報制限を超えている場合、制限内のサイズで情報を分割、分割した情報に連番を付け、順番に情報公開サーバ６に送信する。
【００３２】
情報公開サーバ６は、携帯電話機１から送信された情報を受信すると、写真に関しては指定フォルダに保存、ＧＰＳ情報、選択した件名及び本文の情報についてはデータベースに登録する。情報が分割して送られてきた場合には、全ての情報を受信後、分割された全ての情報を結合して、前述の処理を行う。
【００３３】
携帯電話機１から情報公開サーバ６に送信された情報は、直ちにHTML形式で公開される。
【００３４】
情報公開サーバ６は、利用者の利用形態に応じて、撮影日付毎に並べて表示、地図上に表示することにより、携帯電話機１から送信された情報を提供する。
【００３５】
一般ユーザ機器７は、ネットワーク３を利用し、インターネット上で情報公開サーバ６の情報を閲覧する。
【図面の簡単な説明】
【００３６】
【図１】本発明の全体構成例を示す説明図である。
【図２】携帯電話機アプリケーションケーションのフローチャートである。
【図３】携帯電話機の各部名称説明図である。
【符号の説明】
【００３７】１ 携帯電話機２ 無線基地局３ ネットワーク４ （公序良俗違反につき、不掲載）アプリケーションダウンロードサーバ５ 初期情報送信サーバ６ 情報公開サーバ７ 一般ユーザ機器
【図１】
2008205755.tif 000003
【図２】
2008205755.tif 000004
【図３】
2008205755.tif 000005